(57)【要約】      （修正有）【課題】電子装置におけるコピー／貼り付けにあたり、改良された方法及びこれを具現する電子装置を提供する。【解決手段】第１アプリケーションにおける入力欄の特定地点にカーソルが位置する時、第１ジェスチャーを検出する過程と、前記第１ジェスチャーに従って、候補アプリケーションの目録をディスプレーする過程と、前記候補アプリケーションの目録から第２アプリケーションを選択する過程と、前記第２アプリケーションのファイルを開き、前記ファイルに対応する内容をディスプレーする過程と、前記ファイルに対応する内容からオブジェクトをコピーするための、第２ジェスチャーを検出する過程と、前記第２ジェスチャーに従って、前記第１アプリケーション内に前記入力欄の特定地点を基準に、前記コピーされたオブジェクトをディスプレーする過程と、を含む。【選択図】図９
2014175016.tif 000002
【特許請求の範囲】
【請求項１】
電子装置におけるコピー／貼り付け方法であって、
第１アプリケーションにおける入力欄の特定地点にカーソルが位置する時、第１ジェスチャーを前記電子装置が検出する過程と、
前記第１ジェスチャーに従って、候補アプリケーションの目録を前記電子装置がディスプレーする過程と、
前記候補アプリケーションの目録から第２アプリケーションを選択する過程と、
前記電子装置が前記第２アプリケーションのファイルを開き、前記ファイルに対応する内容をディスプレーする過程と、
前記電子装置が前記ファイルに対応する内容からオブジェクトをコピーするための第２ジェスチャーを検出する過程と、
前記第２ジェスチャーに従って前記電子装置が、前記第１アプリケーション内の前記入力欄の特定地点を基準に前記コピーされた第１オブジェクトをディスプレーする過程と、を含むことを特徴とする、方法。
【請求項２】
前記第２ジェスチャーは、前記オブジェクトをタッチ＆ドラッグした後、前記タッチを解除する動作、又は前記オブジェクトをタッチした後、タッチを解除する動作の何れかであることを特徴とする、請求項１に記載の方法。
【請求項３】
前記候補アプリケーションの目録は、
バックグラウンドにあるアプリケーションの目録、及び前記入力欄のフィールドプロパティに関連したアプリケーションの目録のうちの少なくとも一つ以上であることを特徴とする、請求項１に記載の方法。
【請求項４】
前記オブジェクトのプロパティは、テキストプロパティ及びイメージプロパティの何れかであることを特徴とする、請求項１に記載の方法。
【請求項５】
前記第１ジェスチャーに従って、前記候補アプリケーションの目録をディスプレーする過程は、
前記電子装置が、前記候補アプリケーションの目録の呼び出しコマンドをディスプレーする過程と、
前記アプリケーションの目録の呼び出しコマンドが選択される時、前記電子装置が前記候補アプリケーションの目録をディスプレーする過程と、を含むことを特徴とする、請求項１に記載の方法。
【請求項６】
前記電子装置が、前記コピーされた第１オブジェクトをディスプレーする過程の後に、追加コピーオブジェクトがあるかどうかを問い合わせる過程と、
前記追加コピーオブジェクトがある時、前記電子装置が前記候補アプリケーションの目録をディスプレーする過程と、
前記候補アプリケーションの目録から第３アプリケーションを選択する過程と、
前記電子装置が前記第３アプリケーションのファイルを開き、前記ファイルに対応する内容をディスプレーする過程と、
前記電子装置が前記ファイルに対応する内容からオブジェクトをコピーするための、前記第２ジェスチャーを検出する過程と、
前記電子装置が前記第２ジェスチャーに従って、前記第３アプリケーション内に前記入力欄の特定地点を基準に、前記コピーされた第１オブジェクトとともに第２オブジェクトをディスプレーする過程と、を含むことを特徴とする、請求項１に記載の方法。
【請求項７】
一つ以上のプロセッサと、
メモリと、
前記メモリに保存されていて、前記一つ以上のプロセッサによって実行されるように構成される一つ以上のプログラムを含む電子装置であって、
前記プログラムは、
第１アプリケーションにおいて入力欄の特定地点にカーソルが位置する時、第１ジェスチャーを検出し、
前記第１ジェスチャーに従って、候補アプリケーションの目録をディスプレーし、
前記候補アプリケーションの目録からの第２アプリケーションの選択を検知し、
前記第２アプリケーションのファイルを開き、前記ファイルに対応する内容をディスプレーし、
前記ファイルに対応する内容からオブジェクトをコピーするための、第２ジェスチャーを検出し、
前記第２ジェスチャーに従って、前記第１アプリケーション内に前記入力欄の特定地点を基準に、前記コピーされた第１オブジェクトをディスプレーする、各過程を実行するための命令を含むことを特徴とする、電子装置。
【請求項８】
前記第２ジェスチャーは、前記オブジェクトをタッチ＆ドラッグした後、前記タッチを解除する動作、又は前記オブジェクトをタッチした後、タッチを解除する動作の何れかであることを特徴とする、請求項７に記載の電子装置。
【請求項９】
前記候補アプリケーションの目録は、
バックグラウンドにあるアプリケーションの目録及び前記入力欄のフィールドプロパティに関連したアプリケーションの目録のうちの少なくとも一つ以上であることを特徴とする、請求項７に記載の電子装置。
【請求項１０】
前記オブジェクトのプロパティは、テキストプロパティ及びイメージプロパティの何れかであることを特徴とする、請求項７に記載の電子装置。
【請求項１１】
前記プログラムは、
候補アプリケーションの目録の呼び出しコマンドをディスプレーする命令と、
前記アプリケーションの目録の呼び出しコマンドが選択される時、前記候補アプリケーションの目録をディスプレーする命令と、を含むことを特徴とする、請求項７に記載の電子装置。
【請求項１２】
前記プログラムは、
追加コピーオブジェクトがあるかどうかを問い合わせる過程と、
前記追加コピーオブジェクトがある時、前記候補アプリケーションの目録をディスプレーし、
前記候補アプリケーションの目録からの第３アプリケーションの選択を検知し、
前記第３アプリケーションのファイルを開き、前記ファイルに対応する内容をディスプレーし、
前記ファイルに対応する内容から所望されるオブジェクトをコピーするための、前記第２ジェスチャーを検出し、
前記第２ジェスチャーに従って、前記第３アプリケーション内に前記入力欄の特定地点を基準に、前記コピーされた第１オブジェクトとともに第２オブジェクトをディスプレーする、各過程を実行するための命令をさらに含むことを特徴とする、請求項７に記載の電子装置。
【請求項１３】
電子装置のコピー／貼り付け方法であって、
第１アプリケーションにおける貼り付け位置を決定する過程と、
前記貼り付け位置に基づき、アプリケーション呼び出しコマンドを実行する過程と、
前記アプリケーション呼び出しコマンドに相応して、候補アプリケーションの目録をディスプレーする過程と、
前記候補アプリケーションの目録からコピーが行なわれるべき第２アプリケーションを選択する過程と、
前記第２アプリケーションのファイルを開き、前記ファイルに対応する内容をディスプレーする過程と、
ジェスチャーを用いて、前記ファイルに対応する内容からオブジェクトをコピーする過程と、
前記ジェスチャーに従って、前記第１アプリケーションの貼り付け位置に基づいて、前記コピーされたオブジェクトをディスプレーする過程と、を含むことを特徴とする、方法。
【請求項１４】
前記ジェスチャーは、前記オブジェクトをタッチ＆ドラッグした後、前記タッチを解除する動作、又は前記オブジェクトをタッチした後、タッチを解除する動作の何れかであることを特徴とする、請求項１３に記載の方法。
【請求項１５】
前記候補アプリケーションの目録は、
バックグラウンドにあるアプリケーションの目録及び前記入力欄のフィールドプロパティに関連したアプリケーションの目録のうちの少なくとも一つ以上であることを特徴とすることを特徴とする、請求項１３に記載の方法。
【請求項１６】
一つ以上のプロセッサと、
メモリと、
前記メモリに保存されていて、前記一つ以上のプロセッサによって実行されるように構成される一つ以上のプログラムを含む電子装置であって、
前記プログラムは、
第１アプリケーションにおける貼り付け位置を決定し、前記貼り付け位置に基づいてアプリケーション呼び出しコマンドを実行し、前記アプリケーション呼び出しコマンドに相応して、候補アプリケーションの目録をディスプレーし、前記候補アプリケーションの目録からコピーが行なわれるべき第２アプリケーションを選択し、前記第２アプリケーションのファイルを開き、前記ファイルに対応する内容をディスプレーし、ジェスチャーを用いて、前記ファイルに対応する内容からオブジェクトをコピーし、前記ジェスチャーに従って、前記第１アプリケーションの貼り付け位置に基づいて、前記コピーされたオブジェクトをディスプレーする、各過程を実行するための命令を含むことを特徴とする、電子装置。
【請求項１７】
前記ジェスチャーは、前記オブジェクトをタッチ＆ドラッグした後、前記タッチを解除する動作、又は前記オブジェクトをタッチした後、タッチを解除する動作の何れかであることを特徴とする、請求項１６に記載の電子装置。
【請求項１８】
前記候補アプリケーションの目録は、
バックグラウンドにあるアプリケーションの目録及び前記入力欄のフィールドプロパティに関連したアプリケーションの目録のうちの少なくとも一つ以上であることを特徴とする、請求項１６に記載の電子装置。
【請求項１９】
電子装置のコピー／貼り付け方法であって、
第１アプリケーションにおける貼り付け位置を決定する過程と、
第１ジェスチャーに従って、候補アプリケーションの目録をディスプレーする過程と、
前記候補アプリケーションの目録から第２アプリケーションを選択する過程と、
前記第２アプリケーションを通じてコンテンツをディスプレーする過程と、
前記第２アプリケーションの前記コンテンツの全体又は一部をコピーするための、第２ジェスチャーを検出する過程と、
前記第２ジェスチャーに従って、前記第１アプリケーション内の前記貼り付け位置に、前記コピーされたコンテンツの全体又は一部を貼り付ける（ｐａｓｔｉｎｇ）過程と、を含むことを特徴とする、方法。
【請求項２０】
前記候補アプリケーションの目録は、
バックグラウンドにある実行中のアプリケーションの目録、及び前記第１アプリケーションのフィールドプロパティに関連するアプリケーションの目録のうちの少なくとも一つ以上であることを特徴とする、請求項１９に記載の方法。
【発明の詳細な説明】
【技術分野】
【０００１】
本発明は、一般的に電子装置に係り、特に電子装置におけるコピー／貼り付け方法及びそれを用いる電子装置に関する。
【背景技術】
【０００２】
文字列、資料、ファイル、オブジェクトを一つの対象から他の所に伝送するためのユーザインタフェースとして、切り取り／貼り付け、又はコピー／貼り付け機能が提供されている。切り取り／貼り付け、又はコピー／貼り付け機能は、マウスのようなポインティングデバイスを使用するグラフィックユーザインタフェース又はタッチスクリーンを用いるグラフィックユーザインタフェースと結合されている。例えば、ドラッグアンドドロップ動作がある。
【０００３】
図１の（ａ）乃至（ｂ）は、従来技術による切り取り／貼り付け、又はコピー／貼り付け機能を説明するための図面である。
【０００４】
図１の（ａ）を参照すると、当該アプリケーション（例：メモ帳、文書作成プログラムなど）の第１状態１００においてカーソル位置１０３にクリップボードに既に保存されているオブジェクト（文字列、イメージなど）を貼り付けるとき、ユーザは、カーソル位置１０３で所定の時間、タッチを持続する、又はメニュー選択の時、貼り付け１０１及びクリップボード１０２がディスプレーされる。ユーザが貼り付け１０１を選択する時、最後にコピーされているオブジェクト（例：文字列又はイメージ）がカーソル位置１０３にすぐに現れ、ユーザがクリップボード１０２を選択する時、クリップボード内に以前にコピーされていたオブジェクトがディスプレーされる（第２状態１１０）。この時、クリップボード内にある項目のうちユーザによって例えば項目１（１１１）が選択される時、当該アプリケーション（例：メモ帳、文書作成プログラムなど）１００において、カーソル位置１０３に選択された項目１（１１１）が現れる（第３状態１２０）。即ち、貼り付けを行なう前に、該当文字列又はイメージがコピーされてクリップボードに保存するステップが先行されなければならない。
【０００５】
もし、クリップボードに貼り付けの対象であるオブジェクトがない時、図１の（ｂ）のように、ユーザは、現在、実行中の当該アプリケーションを、貼り付けの対象を含むオブジェクトを含む他のアプリケーションに切り替え、貼り付けの対象であるオブジェクトをコピーしなければならない。
【０００６】
前記図１の（ｂ）を参照すると、現在実行中のアプリケーションの第４状態１３０でカーソル位置１３１に貼り付けの対象であるオブジェクトがクリップボードにない時、又は貼り付けの対象であるオブジェクトがコピーされていない時、貼り付けの対象であるオブジェクトを含む他のアプリケーションに切り替え（第５状態１３５）、前記他のアプリケーション内にある項目１３６を選択してコピーした後、再び現在実行中の当該アプリケーションに切り替え（第６状態１４０）、当該カーソル位置１３１と、貼り付け１４１及びクリップボード１４２と、をディスプレーし、貼り付け１４１、又はクリップボード１４２のうち一つを選択してカーソル位置１３１に例えば項目１３６を示す（第７状態１４５）。
【０００７】
前述のように、従来では、現在使用中のアプリケーションにおいて他のアプリケーションに保存されたデータを使用するためには、前記他のアプリケーション内のデータの原位置で該データをコピーしておく動作が常に先行されなければならない。即ち、コピーするべきデータを、その原位置でコピーした後、貼り付けが行われる。マルチタスクが支援される場合、メイン作業を進行するアプリケーション以外の他のアプリケーションを並行して実行してディスプレーできるが、コピー／貼り付け、又は切り取り／貼り付け機能を行なうためには、数回の画面切り替えが必要である。特に、複数のデータを貼り付ける場合、より多くの画面の切り替えが必要である。
【０００８】
複数のデータのコピー作業にクリップボードを使用する場合、クリップボードに個別にコピーしておいたデータをそのたびに、個別に貼り付けなければならないという使い勝手の悪さがある。
従って、電子装置におけるコピー／貼り付け、又は切り取り／貼り付けを行なう時、アプリケーション間の移動切り替えの回数を減らすための方法及び装置が必要である。
【先行技術文献】
【特許文献】
【０００９】
【特許文献１】韓国特許出願公開第１０−２００４−００５６６５２号明細書
【発明の概要】
【発明が解決しようとする課題】
【００１０】
本発明の目的は、電子装置におけるコピー／貼り付けにあたり、改良された方法及びこれを具現する電子装置を提供することにある。
【００１１】
本発明の他の目的は、電子装置におけるコピー／貼り付け機能を用いる時、アプリケーション間の移動切り替えの回数を減らすための方法及び装置を提供することにある。
【課題を解決するための手段】
【００１２】
前記目的を達成するための本発明の第１見地によれば、電子装置におけるコピー／貼り付け方法は、第１アプリケーションにおける入力欄の特定地点にカーソルが位置する時、ユーザによる第１ジェスチャーを前記電子装置が検出する過程と、前記第１ジェスチャーに従って、候補アプリケーションの目録を前記電子装置がディスプレーする過程と、前記候補アプリケーションの目録から第２アプリケーションを前記ユーザが選択する過程と、前記電子装置が前記第２アプリケーションのファイルを開き、前記ファイルに対応する内容をディスプレーする過程と、前記電子装置が前記ファイルに対応する内容からオブジェクトをコピーするための、前記ユーザによる第２ジェスチャーを検出する過程と、前記第２ジェスチャーに従って前記電子装置が、前記第１アプリケーション内の前記入力欄の特定地点を基準に前記コピーされたオブジェクトをディスプレーする過程と、を含む。
【００１３】
好ましくは、前記候補アプリケーションの目録は、バックグラウンドにあるアプリケーションの目録、及び前記入力欄のフィールドプロパティに関連したアプリケーションの目録の少なくとも一つ以上である。
【００１４】
前記目的を達成するための本発明の第２見地によれば、一つ以上のプロセッサ、メモリ、および前記メモリに保存されており、前記一つ以上のプロセッサによって実行されるように構成される一つ以上のプログラムを含む電子装置であって、前記プログラムは、第１アプリケーションで入力欄の特定地点にカーソルが位置する時、ユーザによる第１ジェスチャーを検出し、前記第１ジェスチャーに従って、候補アプリケーションの目録をディスプレーし、前記候補アプリケーションの目録から第２アプリケーションの、前記ユーザによる選択を検知し、前記第２アプリケーションのファイルを開き、前記ファイルに対応する内容をディスプレーし、前記ファイルに対応する内容からオブジェクトをコピーするための、前記ユーザによる第２ジェスチャーを検出し、前記第２ジェスチャーに従って、前記第１アプリケーション内に前記入力欄の特定地点を基準に、前記コピーされたオブジェクトをディスプレーする、各過程をを実行するための命令を含む。
【００１５】
好ましくは、前記候補アプリケーションの目録は、バックグラウンドにあるアプリケーションの目録及び前記入力欄のフィールドプロパティに関連したアプリケーションの目録のうちの少なくとも一つ以上である。
【００１６】
前記目的を達成するための本発明の第３見地によれば、電子装置のコピー／貼り付け方法は、第１アプリケーションにおける貼り付け位置をユーザの指示に従って決定する過程と、前記貼り付け位置に基づいてアプリケーション呼び出しコマンドを前記ユーザの指示に従って実行する過程と、前記アプリケーション呼び出しコマンドに相応して、前記ユーザの指示に従って候補アプリケーションの目録をディスプレーする過程と、前記候補アプリケーションの目録からコピーが行なわれるべき第２アプリケーションを前記ユーザの指示に従って選択する過程と、前記第２アプリケーションのファイルを開き、前記ファイルに対応する内容をディスプレーする過程と、前記ユーザのジェスチャーに従って、前記ファイルに対応する内容からオブジェクトをコピーする過程と、前記ユーザのジェスチャーに従って、前記第１アプリケーションの貼り付け位置に基づいて、前記コピーされたオブジェクトをディスプレーする過程と、からなる各過程を実行するための命令を含む。
【００１７】
好ましくは、前記候補アプリケーションの目録は、バックグラウンドにあるアプリケーションの目録及び前記入力欄のフィールドプロパティに関連したアプリケーションの目録のうちの少なくとも一つ以上である。
【００１８】
前記目的を達成するための本発明の第４見地によれば、一つ以上のプロセッサ、メモリ、前記メモリに保存されており、前記一つ以上のプロセッサによって実行されるように構成される一つ以上のプログラムを含む電子装置であって、前記プログラムは、第１アプリケーションにおける貼り付け位置をユーザの指示に従って決定し、前記貼り付け位置に基づいて、アプリケーション呼び出しコマンドを実行し、前記アプリケーション呼び出しコマンドに相応して、前記ユーザの指示に従って候補アプリケーションの目録をディスプレーし、前記候補アプリケーションの目録からコピーが行なわれるべき第２アプリケーションを前記ユーザの指示に従って選択し、前記第２アプリケーションのファイルを開き、前記ファイルに対応する内容をディスプレーし、前記ユーザのジェスチャーに従って、前記ファイルに対応する内容からオブジェクトをコピーし、前記ユーザのジェスチャーに従って、前記第１アプリケーションの貼り付け位置に基づいて、前記コピーされたオブジェクトをディスプレーする、各過程を実行するための命令を含む。
【００１９】
好ましくは、前記候補アプリケーションの目録は、バックグラウンドにあるアプリケーションの目録及び前記入力欄のフィールドプロパティに関連したアプリケーションの目録のうちの少なくとも一つ以上である。
【図面の簡単な説明】
【００２０】
【図１】（ａ）乃至（ｂ）は、従来技術による切り取り／貼り付け、又はコピー／貼り付け機能を説明するための図面である。
【図２】本発明の実施例によるコピー／貼り付けのためのユーザインタフェース図面である。
【図３】本発明の実施例によるコピー／貼り付けのためのユーザインタフェース図面である。
【図４】本発明の実施例によるコピー／貼り付けのためのユーザインタフェース図面である。
【図５】本発明の実施例によるコピー／貼り付けのためのユーザインタフェース図面である。
【図６】本発明の実施例によるコピー／貼り付けのためのユーザインタフェース図面である。
【図７】本発明の実施例によるコピー／貼り付けのためのユーザインタフェース図面である。
【図８】本発明の実施例によるコピー／貼り付けのためのユーザインタフェース図面である。
【図９】本発明の実施例によるコピー／貼り付けのための流れ図を示す図面である。
【図１０】（ａ）乃至（ｇ）は、本発明の実施例による貼り付けの位置に基づいて、多数のアプリケーションからそれぞれオブジェクトをコピーして貼り付けを行なう図面である。
【図１１】本発明の実施例による電子装置の構成図である。
【発明を実施するための形態】
【００２１】
以下、本発明の好ましい実施例を添付の図面の参照して詳しく説明する。そして、本発明を説明する際にて関連する知機能、又は構成に対する具体的な説明が本発明の要旨を不必要に混乱させると判断された場合、その詳細な説明は省略する。また、後述する用語は、本発明における機能を考慮して定義された用語であって、これはユーザ、運用者の意図又は慣例などによって異なりうる。従って、その定義は本明細書の全般にわたる内容に基づいてなされなければならない。
【００２２】
以下、本発明は、電子装置におけるコピー／貼り付け方法及び装置に対して説明する。特に、本発明は貼り付け位置でコピーオブジェクトを含むアプリケーションを呼び出す部分とコピーしたオブジェクトを貼り付け位置で表す部分とに分けられる。
【００２３】
図２乃至図８は、本発明の実施例によるコピー／貼り付けのためのユーザインタフェース画面を示している。図２乃至図８では当該銀行のホームページ上で口座番号をコピーして貼り付ける場合を例として説明する。口座情報は、メッセージ内に含まれていると仮定する。
【００２４】
図２は、当該銀行のホームページにログインした後の、口座振込のための画面を示していて、図３は、口座振込のために出金口座番号及び入金口座番号の入力時、入金口座番号に対する情報を他のアプリケーションのファイルに持ってくるために、ユーザによる或る特定のジェスチャーを通じて『呼び出し』コマンドを表示する。例えば、入金口座番号の入力欄にカーソルを位置させ、画面の任意の領域で所定の時間、タッチが持続するというジェスチャーにより、『呼び出し』コマンドが表れる。好ましくは、画面の任意の領域は、カーソルの位置近くの領域である。他の具現例では、当該ジェスチャーは、画面の任意の領域で所定の時間持続されるタッチの動作に制限されるものでなく、ソフトキー又はハードキーを押す選択メニューを通じて『呼び出し』コマンドをディスプレーする動作である。また、他の具現例では、タッチ後の『呼び出し』又は『貼り付け』メニューが直接ディスプレーされる。以後、ダブルタッチジェスチャーを通じてメニューディスプレーがトリガーされるものとする。
【００２５】
図４において、コピーの対象を含んでいるアプリケーションを開くため、『呼び出し』コマンドが選択され、図５では、『呼び出し』が選択される時、候補アプリケーションの目録がディスプレーされる。候補アプリケーションは、バックグラウンドで実行されているアプリケーションか、又は、貼り付けるオブジェクトのフィールドプロパティに関連したアプリケーションである。例えば、貼り付けるオブジェクトのプロパティがテキストの場合、テキストに関連するアプリケーションがディスプレーされ、貼り付けるオブジェクトのプロパティがイメージである場合、イメージ処理に関連するアプリケーションがディスプレーされる。
【００２６】
図６において、ディスプレーされた候補アプリケーションの目録からコピーの対象を含んでいるアプリケーションが選択される。例えば、入金口座情報のあるメッセージアプリケーションが選択され、図７では、メッセージアプリケーションが入金口座情報のあるメッセージをディスプレーする。具現例によっては、メッセージアプリケーション内にメッセージが多数ある時、ユーザの入力によって多数のメッセージのうち一つのメッセージが選択される。
【００２７】
一方、図７において、入金口座番号を含んだメッセージがディスプレーされる時、ユーザはメッセージ内容のうち、入金口座番号１２３−４−５６７−８９０に該当する部分をドラッグする。
【００２８】
図８において、入金口座番号１２３−４−５６７−８９０のドラッグに対応するタッチが解除される時、自動的に直前の当該銀行のホームページに画面が切り替わるとともに、入金口座番号の入力欄のカーソル位置に入金口座番号１２３−４−５６７−８９０が表示される。即ち、コピーするべきオブジェクトをドラッグし、ドラッグに該当するタッチが解除される時、タッチの解除と同時に直前のアプリケーションのカーソル位置にコピーするべきオブジェクトの貼り付けが実行される。
【００２９】
他の具現例において、該当オブジェクトをドラッグし、ドラッグされたオブジェクトについて『コピー』コマンドが実行されるとき、以前のアプリケーションのカーソル位置に貼り付けが実行される。
【００３０】
前述のように、コピー対象地点の代わりに、貼り付け対象地点におけるオプションメニューで『呼び出し』を実行し、この時、バックグラウンドにあるアプリケーションや対象地点のフィールドプロパティに関連したアプリケーションをディスプレーし、該当アプリケーションが選択されてコピーするべきデータがドラッグされる。また、原文データをコピーする場合、呼び出しを実行した以前のアプリケーションに切り替わり、自動的に当該カーソル位置にドラッグされた、又はコピーされたデータを貼り付ける。従ってユーザは、コピー以前のアプリケーションで作業していた位置に移動して既存の作業を続行できる。
【００３１】
図９は、本発明の実施例によるコピー／貼り付けのための流れ図を示している。
【００３２】
図９を参照すると、電子装置はステップ３００で第１アプリケーションを実行し、ステップ３０２で実行中の第１アプリケーション内の特定地点に他のアプリケーション内の文字列、データ、ファイル又はイメージオブジェクトなどを貼り付けで追加する時、ステップ３０４に進む。
【００３３】
次に、電子装置は、ステップ３０４で第１ジェスチャーを通じてコピーするオブジェクトを含むアプリケーションを開くため、『呼び出し』を実行する。第１ジェスチャーは、画面の任意の地点で所定の時間、ユーザがタッチを保持する動作であり、第１ジェスチャーに従って『呼び出し』コマンドがディスプレーされて実行される（図３乃至図４参照）。
【００３４】
次に、電子装置は、ステップ３０６で『呼び出し』コマンドによって、バックグラウンドにあるアプリケーションの目録、又は、貼り付け位置に対応するフィールドプロパティに関連したアプリケーションの目録を候補アプリケーションの目録としてディスプレーする（図５参照）。例えば、貼り付け位置のフィールドプロパティがテキストである場合、テキストに関連するアプリケーションをディスプレーし、貼り付け位置のフィールドプロパティがイメージである場合、イメージに関連するアプリケーションをディスプレーする。
【００３５】
次に、電子装置はステップ３０８において候補アプリケーションの目録から第２アプリケーションを選択する（図６参照）。好ましくは、第２アプリケーションは、コピー対象を含むファイルを開き、修正作業を支援するアプリケーションである。
【００３６】
次に、電子装置はステップ３１０で第２アプリケーションを通じてコピー対象を含むファイルを開く。もし、第２アプリケーションのファイルが一つの場合には直ちに当該ファイルが開かれるが、第２アプリケーションのファイルが２つ以上の場合、ファイル目録がディスプレーされ、ユーザ入力によって一つのファイルが選択される。
【００３７】
次に、電子装置はステップ３１２でユーザの第２ジェスチャーを通じて当該ファイルの内容のうち貼り付けるべき文字列、データ、又はオブジェクトをコピーする。例えば、貼り付けの対象がテキストである場合、テキストに関連するメッセージアプリケーションがディスプレーされて選択され、そして、当該メッセージアプリケーションのメッセージ内容がディスプレーされれば、ユーザは貼り付け内容をタッチドラッグする（図７参照）。
【００３８】
次に、電子装置はステップ３１４でタッチドラッグが解除される時、第１アプリケーションに自動的に切り替えられた後、第１アプリケーションの特定地点（例：貼り付け位置、即ち、直前のカーソル位置）にドラッグしたオブジェクトを貼り付ける（図６参照）。
【００３９】
次に、電子装置はステップ３１６で第１アプリケーション内の特定地点に他のアプリケーション内の文字列、データ、ファイル又はイメージオブジェクトなどをさらに追加する時、ステップ３０４に進む。
【００４０】
一方、貼り付けるオブジェクトがそれ以上ないとき本発明の手順を終了する。
【００４１】
図１０の（ａ）乃至（ｇ）は、本発明の実施例による貼り付けの位置に基づいて、多数のアプリケーションからそれぞれオブジェクトをコピーして貼り付けを行なう例を示している。
【００４２】
図１０の（ａ）乃至（ｇ）を参照すると、文書作成機アプリケーション（例：パワーポインタ）（ａ）において、他の複数多数のアプリケーションにより生成されたデータをコピーして貼り付ける場合、図２乃至図８の処理過程を用いる。
【００４３】
例えば、ユーザが、文書の特定地点から『呼び出し』を通じてウェブページをディスプレーさせ、前記ウェブページ内の一部のテキスト４０１をタッチ＆ドラッグすると、テキスト４０１が自動コピーされ（ｂ）、タッチが解除される時、テキスト４０１は、文書の特定地点に貼り付けられる。具現例によっては、前記ウェブページ内の一部のテキスト４０１は、タッチ＆ドラッグされた後、ユーザが別のコピーコマンドを実行してはじめてコピー可能になる。
【００４４】
次に、文書の特定地点でテキスト４０１がコピーされた後、文書の他の特定地点でユーザが２番目の『呼び出し』を行うと、当該文書編集機で作成された他の文書をディスプレーし、当該他の文書の一部であるテキスト４０２をユーザがタッチ＆ドラッグすると、テキスト４０２が自動的にコピーされ（ｃ）、タッチが解除される時、テキスト４０２は、文書の当該他の特定地点に貼り付けられる。
【００４５】
次に、文書の特定地点でテキスト４０２がコピーされた後、ユーザによる３番目の『呼び出し』を通じて電子装置はカメラ編集機を実行して写真１をディスプレーし、写真１の一部領域４０３をユーザがタッチ＆ドラッグすると、写真１の一部領域４０３が自動的にコピーされ（ｄ）、タッチが解除される時、写真１の一部領域４０３が文書の特定地点に貼り付けられる。
【００４６】
次に、文書の特定地点で写真１の一部領域４０３がコピーされた後、ユーザによる４番目の『呼び出し』を通じて電子装置はカメラ編集機を実行して写真２をディスプレーし、写真２の一部領域４０４をユーザがタッチ＆ドラッグすると、写真２の一部領域４０４が自動的にコピーされ（ｅ）、タッチが解除される時、写真２の一部領域４０４が文書の特定地点に貼り付けられる。
【００４７】
次に、文書の特定地点で写真２の一部領域４０４がコピーされた後、ユーザによる５番目の『呼び出し』を通じて電子装置はファイルエクスプローラ又は音楽再生機を実行して音楽目録をディスプレーし、前記音楽目録の何れかの音楽ファイル４０５を所定の時間、ユーザがタッチすれば、音楽ファイル４０５が自動的にコピーされ（ｆ）、タッチが解除される時、音楽ファイル４０５が文書の特定地点に貼り付けられる。
【００４８】
図１０の（ｇ）は、５つのアプリケーション間のコピー／貼り付けを通じて、コピーされたオブジェクト４０１、４０２、４０３、４０４、４０５を含む文書作成機アプリケーション（例：パワーポインタ）（ａ）の画面を示している。
【００４９】
従来はコピー対象の原位置に基づいてコピー／貼り付けを行うので、５つのアプリケーションからのコピー／貼り付けを行う場合には、１１回の画面の切り替えと１０回のコピー／貼り付けを行わなければならない。しかし、本発明では、貼り付け対象の位置に基づいてコピー／貼り付けを行うので、６回の画面切り替えと５回の送り機能のみ行なえばよい。
【００５０】
図１１は、本発明の実施例による電子装置の構成図を示している。
【００５１】
電子装置は例えば、携帯用電子装置（ｐｏｒｔａｂｌｅ  ｅｌｅｃｔｒｏｎｉｃ  ｄｅｖｉｃｅ）であり、携帯用端末機（ｐｏｒｔａｂｌｅ  ｔｅｒｍｉｎａｌ）、移動端末機（ｍｏｂｉｌｅ  ｔｅｒｍｉｎａｌ）、移動パッド（ｍｏｂｉｌｅ  ｐａｄ）、メディアプレーヤー（ｍｅｄｉａ  ｐｌａｙｅｒ）、タブレットコンピューター（ｔａｂｌｅｔ  ｃｏｍｐｕｔｅｒ）、ハンドヘルドコンピューター（ｈａｎｄｈｅｌｄ  ｃｏｍｐｕｔｅｒ）、又はＰＤＡ（Ｐｅｒｓｏｎａｌ  Ｄｉｇｉｔａｌ  Ａｓｓｉｓｔａｎｔ）などの何れかである。なお、これらの装置のうち２つ以上の機能を組み合わせた装置を含む任意の携帯用電子装置であり得る。
【００５２】
前記図１１を参照すると、電子装置は制御器５００、スピーカー／マイクロフォン５１０、カメラ５２０、ＧＰＳ受信機５３０、ＲＦ処理機５４０、センサモジュール５５０、タッチスクリーン５６０、タッチスクリーンコントローラ５６５、拡張メモリ５７０を含んで構成される。
【００５３】
コントローラ５００は、インタフェース５０１、一つ以上のプロセッサ５０２、５０３、内部メモリ５０４を含みうる。場合によっては、コントローラ５００の全体をプロセッサと称することもある。インタフェース５０１、アプリケーションプロセッサ５０２、通信プロセッサ５０３、内部メモリ５０４は、別々の構成要素であるか、又は、一つ以上の集積化された回路に集積化される。
【００５４】
アプリケーションプロセッサ５０２は、複数のソフトウェアプログラムを実行して電子装置のための様々な機能を行い、通信プロセッサ５０３は、音声通信及びデータ通信のための処理及び制御を行う。また、このような通常の機能に加えて、プロセッサ５０２、５０３は、拡張メモリ５７０又は内部メモリ５０４に保存されている特定のソフトウェアモジュール（コマンドセット）を実行し、そのモジュールに対応する特定の様々の機能を行なう役割も果たす。即ち、プロセッサ５０２、５０３は、拡張メモリ５７０又は内部メモリ５０４に保存されたソフトウェアモジュールと連動して本発明のコピー／貼り付け方法を行なう。
【００５５】
例えば、アプリケーションプロセッサ５０２が、第１アプリケーションを実行し、実行中の第１アプリケーション内の特定地点に他のアプリケーション内の文字列、データ、ファイル又はイメージオブジェクトなどをユーザが貼り付けて追加したい時、ユーザが第１ジェスチャーを通じてコピーするオブジェクトを含むアプリケーションを開くため、『呼び出し』を実行し、ここで、第１ジェスチャーは、画面の任意の地点で所定の時間、ユーザがタッチを維持する動作を意味し、『呼び出し』命令に従いアプリケーションプロセッサ５０２は、バックグラウンドにあるアプリケーションの目録又は貼り付け位置に対応するフィールドプロパティに関連したアプリケーションの目録をディスプレーし、ユーザは当該アプリケーションの目録から第２アプリケーションを選択し、第２アプリケーションを通じてコピーの対象を含むファイルを開き、タッチ＆ドラッグを通じて当該ファイルの内容のうち、貼り付ける文字列、データ、又はオブジェクトをコピーし、タッチ＆ドラッグが解除される時、アプリケーションプロセッサ５０２は前記第１アプリケーションに切り替えた後、第１アプリケーションの特定地点（例：貼り付け位置）にドラッグしたオブジェクトを貼り付ける。
【００５６】
一方、他のプロセッサ（図示せず）は、一つ以上のデータプロセッサ、イメージプロセッサ、又はコーデックを含み得る。データプロセッサ、イメージプロセッサ、又はコーデックは別々に構成できる。また、互いに異なる機能を行なう複数のプロセッサから構成され得る。インタフェース５０１は、電子装置のタッチスクリーンコントローラ５６５及び拡張メモリ５７０などを制御器５００に連結する。
【００５７】
センサモジュール５５０は、インタフェース５０１に結合されて様々な機能を可能にする。例えば、動きセンサや光センサがインタフェース５０１に結合されてそれぞれ電子装置の動きの感知及び外部からの光の感知を可能にする。それ以外にも位置測定システム、温度センサ、又は生体センサなどのその他のセンサが、インタフェース５５０に連結されて関連機能を実行できる。
【００５８】
カメラ５２０は、インタフェース５０１を通じてセンサモジュール５５０と結合して写真及びビデオクリップレコーディングなどのカメラ機能を行う。
【００５９】
ＲＦ処理機５４０は、通信機能を行う。例えば、通信プロセッサ５０３の制御下にＲＦ信号をベースバンド信号に変換して通信プロセッサ５０３に提供し、通信プロセッサ５０３からのベースバンド信号をＲＦ信号に変換して送信する。ここで、通信プロセッサ５０３は多様な通信方式を用いてベースバンド信号を処理する。例えば、通信方式は、これらに限定するものではないが、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）通信方式、ＥＤＧＥ（Ｅｎｈａｎｃｅｄ  Ｄａｔａ  ＧＳＭＥｎｖｉｒｏｎｍｅｎｔ）通信方式、ＣＤＭＡ（Ｃｏｄｅ  Ｄｉｖｉｓｉｏｎ  Ｍｕｌｔｉｐｌｅ  Ａｃｃｅｓｓ）通信方式、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）通信方式、ＬＴＥ（Ｌｏｎｇ  Ｔｅｒｍ  Ｅｖｏｌｕｔｉｏｎ）通信方式、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）通信方式、Ｗｉ−Ｆｉ（ＷｉｒｅｌｅｓｓＦｉｄｅｌｉｔｙ）通信方式、ＷｉＭａｘ通信方式又は／及びＢｌｕｅｔｏｏｔｈ（登録商標）通信方式を含み得る。
【００６０】
スピーカー／マイクロフォン５１０は、音声認識、音声複製、デジタルレコーディング（ｒｅｃｏｒｄｉｎｇ）及び電話機能のようなオーディオストリームの入力と出力を担当する。即ち、スピーカー／マイクロフォン５１０は、音声信号を電気信号に変換し、電気信号を音声信号に変換する。図示していないが、取り外し可能な（ａｔｔａｃｈａｂｌｅ  ａｎｄ  ｄｅｔａｃｈａｂｌｅ）イヤホン（ｅａｒ  ｐｈｏｎｅ）、ヘッドホン（ｈｅａｄ  ｐｈｏｎｅ）、又はヘッドセット（ｈｅａｄ  ｓｅｔ）が外部ポートを通じて電子装置に連結され得る。
【００６１】
タッチスクリーンコントローラ５６５は、タッチスクリーン５６０に結合され得る。ジェスチャースクリーン５６０及びタッチスクリーンコントローラ５６５は、以下に限定していないが、ジェスチャースクリーン５６０との一つ以上の接触点を決定するための容量性、抵抗性、赤外線および表面音響波の技術だけでなく、その他の近接センサ配列又はその他の要素を含む任意のマルチタッチ感知の技術を用いて接触及び動き、又はこれらの中断を検出できる。
【００６２】
タッチスクリーン５６０は、電子装置とユーザの間に入力／出力インタフェースを提供する。即ち、タッチスクリーン５６０は、ユーザのタッチ入力を電子装置に伝達する。また、電子装置からの出力をユーザに示す媒介体である。即ち、タッチスクリーンはユーザに視覚的な出力を示す。このような視覚的出力（ｖｉｓｕａｌ  ｏｕｔｐｕｔ）はテキスト（ｔｅｘｔ）、グラフィック（ｇｒａｐｈｉｃ）、ビデオ（ｖｉｄｅｏ）と、これらの組み合せの形態として現れる。
【００６３】
タッチスクリーン５６０には、様々なディスプレーが使用され得る。例えば、これに限定されるものではないが、ＬＣＤ（ｌｉｑｕｉｄ  ｃｒｙｓｔａｌ  ｄｉｓｐｌａｙ）、ＬＥＤ（Ｌｉｇｈｔ  Ｅｍｉｔｔｉｎｇ  Ｄｉｏｄｅ）、ＬＰＤ（ｌｉｇｈｔ  ｅｍｉｔｔｉｎｇｐｏｌｙｍｅｒ  ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ）、又はＦＬＥＤ（Ｆｌｅｘｉｂｌｅ  ＬＥＤ）を使用しうる。
【００６４】
ＧＰＳ受信機５３０は、人工衛星から受けた信号を位置、速度、時間などの情報に変換する。例えば、衛星とＧＰＳ受信機間の距離は、光の速度と信号到達時間を掛けて計算され、３つの衛星の正確な位置と前記距離から、公知の三角測量の原理に基づき電子装置の位置が測定される。
【００６５】
拡張メモリ５７０又は内部メモリ５０４は、一つ以上の磁気ディスク記憶装置のような高速ランダムアクセスメモリ及び／又は不揮発性メモリ、一つ以上の光保存装置及び／又はフラッシュメモリ（例えば、ＮＡＮＤ、ＮＯＲ）を含み得る。
【００６６】
拡張メモリ５７０又は内部メモリ５０４は、ソフトウェアを保存する。ソフトウェアの構成要素は、ＯＳ（ｏｐｅｒａｔｉｎｇ  ｓｙｓｔｅｍ）ソフトウェアモジュール、通信ソフトウェアモジュール、グラフィックソフトウェアモジュール、ユーザインタフェースソフトウェアモジュール及びＭＰＥＧモジュール、カメラソフトウェアモジュール、一つ以上のアプリケーションソフトウェアモジュールなどを含む。また、ソフトウェア構成要素であるモジュールは、コマンドの集合として表現されるので、モジュールをコマンドセット（ｉｎｓｔｒｕｃｔｉｏｎ  ｓｅｔ）と表現することもある。モジュールは、またプログラムと表現することもある。
【００６７】
ＯＳソフトウェアは、一般的なシステムの動作（ｓｙｓｔｅｍ  ｏｐｅｒａｔｉｏｎ）を制御する様々のソフトウェア構成要素を含む。このような一般的なシステム作動の制御は、例えば、メモリ管理および制御、保存、ハードウェア（装置）制御及び管理、電力制御及び管理を意味する。このようなＯＳソフトウェアは、いくつかのハードウェア（装置）とソフトウェアの構成要素（モジュール）間の通信を円滑にする機能も行なう。
【００６８】
通信ソフトウェアモジュールは、ＲＦ処理機５４０を通じてパソコン、サーバ、及び／又は携帯用端末機など他の電子装置と通信を可能にする。そして、通信ソフトウェアモジュールは、当該通信方式に該当するプロトコル構造で構成される。
【００６９】
グラフィックソフトウェアモジュールは、タッチスクリーン５６０上にグラフィックを提供して表示するための様々なソフトウェア構成要素を含む。グラフィック（ｇｒａｐｈｉｃｓ）という用語は、テキスト（ｔｅｘｔ）、ウェブページ（ｗｅｂ  ｐａｇｅ）、アイコン（ｉｃｏｎ）、デジタルイメージ（ｄｉｇｉｔａｌ  ｉｍａｇｅ）、ビデオ（ｖｉｄｅｏ）、アニメーション（ａｎｉｍａｔｉｏｎ）などを含む意味として使用される。
【００７０】
ユーザインタフェースソフトウェアモジュールは、ユーザインタフェースに関連した様々なソフトウェアの構成要素を含み、ユーザインタフェースの状態がどう変更されるか、又はユーザインタフェースの状態の変更がどのような条件でなされるかなどについての内容を含む。
【００７１】
カメラソフトウェアモジュールは、カメラ関連プロセス及び機能を可能にするカメラ関連ソフトウェアの構成要素を含む。アプリケーションモジュールは、レンダリングエンジンを含むウェブブラウザ（ｂｒｏｗｓｅｒ）、電子メール（ｅｍａｉｌ）、インスタントメッセージ（ｉｎｓｔａｎｔ  ｍｅｓｓａｇｅ）、ワードプロセッシング（ｗｏｒｄ  ｐｒｏｃｅｓｓｉｎｇ）、キーボードエミュレーション（ｋｅｙｂｏａｒｄ  ｅｍｕｌａｔｉｏｎ）、アドレスブック（ａｄｄｒｅｓｓ  ｂｏｏｋ）、タッチリスト（ｔｏｕｃｈ  ｌｉｓｔ）、ウィジェット（ｗｉｄｇｅｔ）、デジタル著作権管理（ＤＲＭ、Ｄｉｇｉｔａｌ  Ｒｉｇｈｔ  Ｍａｎａｇｅｍｅｎｔ）、音声認識（ｖｏｉｃｅ  ｒｅｃｏｇｎｉｔｉｏｎ）、音声複製、位置決定機能（ｐｏｓｉｔｉｏｎ  ｄｅｔｅｒｍｉｎｉｎｇ  ｆｕｎｃｔｉｏｎ）、位置基盤サービス（ｌｏｃａｔｉｏｎ  ｂａｓｅｄ  ｓｅｒｖｉｃｅ）などを含む。メモリ（５７０、５０４）は、前述のモジュールの他に追加的なモジュール（コマンド）を含みうる。また、必要に応じて一部のモジュール（コマンド）を使用しないこともある。
【００７２】
本発明に関連してアプリケーションモジュールは、ウェブページ内の特定のオブジェクトを調節するためのコマンド（図９参照）を含む。
【００７３】
例えば、アプリケーションモジュールは、第１アプリケーションを実行し、ユーザが実行中の第１アプリケーション内の特定地点に他のアプリケーション内の文字列、データ、ファイル又はイメージオブジェクトなどを貼り付けで追加したい時、ユーザは第１ジェスチャーを通じてコピーするべきオブジェクトを含むアプリケーションを開くため、『呼び出し』を実行し、ここで、第１ジェスチャーは、画面の任意の地点で所定の時間、タッチを保持する動作を意味し、『呼び出し』コマンドに従ってアプリケーションモジュールは、バックグラウンドにあるアプリケーションの目録又は貼り付け位置に対応するフィールドプロパティに関連したアプリケーションの目録をディスプレーし、ユーザは当該アプリケーションの目録から第２アプリケーションを選択し、第２アプリケーションを通じてコピー対象を含むファイルを開き、タッチ＆ドラッグを通じて当該ファイルの内容のうち貼り付けるべき文字列、データ、又はオブジェクトをコピーし、タッチ＆ドラッグを解除すると、アプリケーションモジュールは、第１アプリケーションに切り替えた後、第１アプリケーションの特定地点（例：貼り付け位置）にドラッグしたオブジェクトを貼り付ける。
【００７４】
また、上で言及した、また以下で言及する、本発明による電子装置の多様な機能は、一つ以上のプロセッシング（ｐｒｏｃｅｓｓｉｎｇ）及び／又はアプリケーション特定の集積回路（ＡＳＩＣ、Ａｐｐｌｉｃａｔｉｏｎ−Ｓｐｅｃｉｆｉｃ  Ｉｎｔｅｇｒａｔｅｄ  Ｃｉｒｃｕｉｔ）を含むハードウェア及び／又はソフトウェア及び／又はこれらの結合で実行されうる。
【００７５】
前述のように、コピー対象の位置の代わりに貼り付け対象の位置に基づいて貼り付けを行うことにより、アプリケーション間の移動切り替えステップを減らすことができるメリットがある。
【００７６】
一方、本発明の詳細な説明では具体的な実施例について説明したが、本発明の範囲から外れない限度内で様々な変形が可能であることは言うまでもない。従って、本件発明の範囲は説明された実施例に限られて定められてはならず、後述の特許請求の範囲だけでなく、この特許請求の範囲と均等なものによって定められなければならない。
【符号の説明】
【００７７】
１００  （当該アプリケーションの）第１状態
１０１、１４１  貼り付け
１０２、１４２  クリップボード
１０３  カーソル位置
１１０  （当該アプリケーションの）第２状態
１１１  項目１
１２０  （当該アプリケーションの）第３状態
１３０  （当該アプリケーションの）第４状態
１３５  （他のアプリケーションの）第５状態
１３６  項目
１４０  （当該アプリケーションの）第６状態
１４５  （当該アプリケーションの）第７状態
４０１、４０２  テキスト、コピーされたオブジェクト
４０３  写真１の一部領域、コピーされたオブジェクト
４０４  写真２の一部領域、コピーされたオブジェクト
４０５  音楽ファイル、コピーされたオブジェクト
５００  制御器
５０１  インタフェース
５０２  アプリケーションプロセッサ
５０３  通信プロセッサ
５０４  内部メモリ
５１０  スピーカー／マイクロフォン
５２０  カメラ
５３０  ＧＰＳ受信機
５４０  ＲＦ処理機
５５０  センサモジュール
５６０  タッチスクリーン
５６５  タッチスクリーンコントローラ
５７０  拡張メモリ
【図１】
2014175016.tif 000003
【図２】
2014175016.tif 000004
【図３】
2014175016.tif 000005
【図４】
2014175016.tif 000006
【図５】
2014175016.tif 000007
【図６】
2014175016.tif 000008
【図７】
2014175016.tif 000009
【図８】
2014175016.tif 000010
【図９】
2014175016.tif 000011
【図１０】
2014175016.tif 000012
【図１１】
2014175016.tif 000013